(57)【特許請求の範囲】
【請求項１】
着用者の鼻と口とを覆うマスク本体と、
前記マスク本体の両端から延びるとともに、該マスク本体の第一方向における両側に配置され且つ着用者の耳に掛けられる耳掛け部と、
前記マスク本体の前記第一方向における中央部に設けられ、前記第一方向と直交する第二方向に沿って延び且つ弾性復元力を有するとともに、前記第二方向における中央部が外側に突出した湾曲形状を有するボーンと、を備え、
前記マスク本体及び前記耳掛け部は、いずれも、端縁が切りっぱなし仕様とされた切りっぱなし生地で形成され、
前記マスク本体の中央部は、前記切りっぱなし生地が三層以上表裏方向に重なって形成されているとともに、前記ボーンの外側には少なくとも一層の前記切りっぱなし生地が配置され、前記ボーンの内側には少なくとも二層の前記切りっぱなし生地が配置されるように構成される、ことを特徴とするマスク。
【請求項２】
前記切りっぱなし生地は、前記第二方向よりも、前記第一方向において伸び縮みしやすく
前記切りっぱなし生地は、前記第一方向において所定条件にて繰り返し伸張回復荷重を加えた時の５回目の１６．７ｍｍストローク位置での回復荷重が、４ｃＮ／ｍｍ以下となる生地である、請求項１に記載のマスク。
【請求項３】
前記ボーンは、厚みよりも幅が大きい断面形状を有し、該ボーンの幅方向が前記第一方向に沿うように配置される、請求項１又は請求項２に記載のマスク。
【請求項４】
前記切りっぱなし生地は、前記マスク本体が、前記第一方向における中央で二つ折りにされ且つ平置きされた状態において、前記第一方向における前記マスク本体の折り目の頂部から前記耳掛け部の内端縁までの距離が、１４５ｍｍ以下となる、請求項１〜請求項３のいずれか１項に記載のマスク。
【請求項５】
前記マスク本体と前記耳掛け部が一体の前記切りっぱなし生地で構成され、
前記マスク本体が、前記第一方向における中央で二つ折りにされた状態で、前記マスク本体の前記第一方向における中央部と前記耳掛け部とをチャックに引っ掛け、所定条件にて繰り返し伸張回復荷重を加えた時の、５回目の５０ｍｍストローク位置での回復荷重が、１００ｃＮ以下となる、請求項１〜請求項４のいずれか１項に記載のマスク。
【請求項６】
前記耳掛け部のうち一方の耳掛け部を一方のチャックに引っ掛け、前記耳掛け部のうち他方の耳掛け部を他方のチャックに引っ掛け、所定条件にて繰り返し伸張回復荷重を加えた後の、前記耳掛け部間の距離が、前記所定条件にて繰り返し伸張回復荷重を加える前の前記耳掛け部間の距離の１０３％以下となる、請求項１〜請求項５のいずれか1項に記載のマスク。
【請求項７】
前記マスク本体が前記第一方向における中央で二つ折りにされた状態で、前記マスク本体の前記第一方向における中央部と前記耳掛け部とをチャックに引っ掛け、所定条件にて繰り返し伸張回復荷重を加えた時の、５回目の５０ｍｍストローク位置での前記耳掛け部における耳巻き掛け部の巻き掛け方向における中央部の幅方向における寸法に対する単位当たりの力である耳幅単位力が、５ｃＮ／ｍｍ以下となる、請求項１〜請求項６のいずれか１項に記載のマスク。
【請求項８】
着用者の鼻と口とを覆うマスク本体と、
前記マスク本体の両端から延びるとともに、前記マスク本体の第一方向における両側に配置され且つ着用者の耳に掛けられる耳掛け部と、を備え、
前記マスク本体及び前記耳掛け部は、いずれも、端縁が切りっぱなし仕様とされた切りっぱなし生地で形成され、
前記マスク本体は、該マスク本体の前記第一方向における中央で互いに縫い合わされた一対の半身部を含み、
前記一対の半身部は、それぞれ表側に位置する前記切りっぱなし生地である表地と、裏側に位置する前記切りっぱなし生地である裏地とを有し、
前記一対の半身部のうち一方の半身部では、前記マスク本体の前記第一方向における中央部となる半身中央部位において、前記表地の端部が前記裏地側に折り返されるとともに、前記裏地の端部が前記表地側に折り返され、
前記一対の半身部のうち他方の半身部では、前記マスク本体の前記第一方向における中央部となる半身中央部位が、前記一方の半身部の半身中央部位の前記表地と前記裏地との間に挿入され、
前記マスク本体の前記第一方向における中央部は、前記一方の半身部の半身中央部位と、前記他方の半身部の半身中央部位とが重なった状態で縫合されて構成されるとともに、前記第一方向と直交する第二方向における中央部が外側に突出した湾曲形状を有する、ことを特徴とするマスク。
【請求項９】
前記マスク本体の前記第一方向における中央部に設けられ、前記第一方向と直交する第二方向に沿って延びるボーンを備え、
前記ボーンは、弾性復元力を有するとともに、前記第二方向における中央部が外側に突出した湾曲形状を有し、且つ、前記一方の半身部の半身中央部位における前記表地の端部の折返し部に収容されている、請求項８に記載のマスク。
【請求項１０】
前記切りっぱなし生地は、所定条件にて繰り返し伸張回復荷重を加えた時の５回目の１６．７ｍｍストローク位置での回復荷重が、４ｃＮ以下／ｍｍとなる生地である、請求項１〜請求項９のいずれか１項に記載のマスク。
【発明の詳細な説明】
【技術分野】
【０００１】
本発明は、衛生用マスク等の着用者の鼻や口を覆うマスクに関する。
【背景技術】
【０００２】
従来、不織布で形成されたマスクが公知である（特許文献１参照）。このマスクは、着用者の鼻や口を覆うマスク本体と、着用者の耳に掛けられる一対の耳掛け部と、を備える。マスク本体は、マスク着用時に外気と接触する側より着用者の鼻や口と接触する側に向けて、順に、外層、フィルター層と吸湿層とを含む内層、及び、口元層を備える。外層、内層、口元層は、いずれも、不織布により形成されている。耳掛け部は、紐状弾性体またはテープ状弾性体で形成されている。
【先行技術文献】
【特許文献】
【０００３】
【特許文献１】特許第６６０８４７２号公報
【発明の概要】
【発明が解決しようとする課題】
【０００４】
ところで、前記マスクでは、マスク本体が伸縮性に乏しい不織布により形成されているため、装着状態において、マスク本体が着用者の顔面にフィットしないことがある。また、マスク本体のフィット感を向上するために、紐状弾性体等により形成される耳掛け部によりマスク本体を顔面に強く固定すると、着用者が、顔に圧迫感を感じたり、耳元に締め付け感を感じたりするおそれがある。
【０００５】
本発明は、着用者の顔へのフィット感を高めつつ、圧迫感を抑制できるマスクを提供することを目的とする。
【課題を解決するための手段】
【０００６】
本発明のマスクは、着用者の鼻と口とを覆うマスク本体と、前記マスク本体の両端から延び且つ着用者の耳に掛けられる耳掛け部と、を備え、前記マスク本体及び前記耳掛け部は、いずれも、端縁が切りっぱなし仕様とされた切りっぱなし生地で形成され、前記切りっぱなし生地は、所定条件にて繰り返し伸張回復荷重を加えた時の５回目の１６．７ｍｍストローク位置での回復荷重が、４ｃＮ以下／ｍｍとなる生地である。
【０００７】
かかる構成によれば、マスク本体及び耳掛け部は、回復荷重が４ｃＮ／ｍｍ以下となる伸縮性を有する切りっぱなし生地で形成されているため、装着状態において、マスク本体が着用者の顔の形状に沿いやすくフィット感が向上し、マスク本体及び耳掛け部の端縁が顔や耳元を締め付けないため、マスク本体による顔への圧迫感、及び、耳掛け部による耳元への圧迫感が抑制される。また、長時間着用しても顔に跡がつかない。
【０００８】
また、前記マスクでは、前記耳掛け部は、前記マスク本体の第一方向における両側に配置され、前記切りっぱなし生地は、前記第一方向と直交する第二方向よりも、前記第一方向において伸び縮みしやすく前記切りっぱなし生地は、前記第一方向において所定条件にて繰り返し伸張回復荷重を加えた時の５回目の１６．７ｍｍストローク位置での回復荷重が、４ｃＮ／ｍｍ以下となる生地であってもよい。
【０００９】
かかる構成によれば、マスクを装着する際に、該マスクを伸縮させる主たる方向である第一方向において、切りっぱなし生地がよく伸び縮みするため、マスク本体による顔への圧迫感、及び、耳掛け部による耳元への圧迫感が確実に抑制される。また、長時間着用しても顔に跡がつかない。
【００１０】
また、前記マスクでは、前記耳掛け部は、前記マスク本体の第一方向における両側に配置され、前記マスク本体の前記第一方向における中央部に設けられ、前記第一方向と直交する第二方向に沿って延びるボーンを備え、前記ボーンは、弾性復元力を有するとともに、前記第二方向における中央部が外側に突出した湾曲形状を有してもよい。
【００１１】
かかる構成によれば、ボーンがマスク本体の立体形状を保持するため、着用者は呼吸がしやすい。
【００１２】
さらに、前記マスクでは、前記マスク本体の中央部は、前記切りっぱなし生地が三層以上表裏方向に重なって形成されているとともに、前記ボーンの外側には少なくとも一層の前記切りっぱなし生地が配置され、前記ボーンの内側には少なくとも二層の前記切りっぱなし生地が配置されるように構成されてもよい。
【００１３】
かかる構成によれば、厚み方向における内側と外側に配置された切りっぱなし生地がボーンを保持するため、ボーンがマスク本体から飛び出しにくく、ボーンより内側に位置する複数の切りっぱなし生地がボーンと着用者の顔面との間のクッションとなるため、着用感が向上する。
【００１４】
また、前記マスクでは、前記ボーンは、厚みよりも幅が大きい断面形状を有し、該ボーンの幅方向が前記第一方向に沿うように配置されてもよい。
【００１５】
かかる構成によれば、ボーンの厚みが薄いため、装着状態において、ボーンが着用者の顔の形状に沿った湾曲形状となりやすい。
【００１６】
また、前記マスクでは、前記耳掛け部は、前記マスク本体の第一方向における両側に配置され、前記切りっぱなし生地は、前記マスク本体が、前記第一方向における中央で二つ折りにされ且つ平置きされた状態において、前記第一方向における前記マスク本体の折り目の頂部から前記耳掛け部の内端縁までの距離が、１４５ｍｍ以下となる生地であってもよい。
【００１７】
かかる構成によれば、マスクは、通常の大人用マスクよりも小さいサイズとして形成され、より大きなサイズに伸ばされた状態で使用されるため、顔へのフィット感が向上する。
【００１８】
また、前記マスクでは、前記耳掛け部は、前記マスク本体の第一方向における両側に配置され、前記マスク本体と前記耳掛け部が一体の前記切りっぱなし生地で構成され、前記マスク本体が、前記第一方向における中央で二つ折りにされた状態で、前記マスク本体の前記第一方向における中央部と前記耳掛け部とをチャックに引っ掛け、所定条件にて繰り返し伸張回復荷重を加えた時の、５回目の５０ｍｍストローク位置での回復荷重が、１００ｃＮ以下となってもよい。
【００１９】
かかる構成によれば、マスク本体の伸縮性が高いため、装着状態において、マスク本体が着用者の顔の形状に沿いやすくフィット感を確保できる。
【００２０】
また、前記マスクでは、前記耳掛け部は、前記マスク本体の第一方向における両側に配置され、前記耳掛け部のうち一方の耳掛け部を一方のチャックに引っ掛け、前記耳掛け部のうち他方の耳掛け部を他方のチャックに引っ掛け、所定条件にて繰り返し伸張回復荷重を加えた後の、前記耳掛け部間の距離が、前記所定条件にて繰り返し伸張回復荷重を加える前の前記耳掛け部間の距離の１０３％以下となってもよい。
【００２１】
かかる構成によれば、マスクの着用や洗濯によりマスクの伸張を繰り返しても、マスクを構成する切りっぱなし生地がダレにくいため、マスクを繰り返し着用可能である。
【００２２】
また、前記マスクでは、前記耳掛け部は、前記マスク本体の第一方向における両側に配置され、前記マスク本体が前記第一方向における中央で二つ折りにされた状態で、前記マスク本体の前記第一方向における中央部と前記耳掛け部とをチャックに引っ掛け、所定条件にて繰り返し伸張回復荷重を加えた時の、５回目の１６．７ｍｍストローク位置での前記耳掛け部における耳巻き掛け部の巻き掛け方向における中央部の幅方向における寸法に対する単位当たりの力である耳幅単位力が、５ｃＮ／ｍｍ以下となってもよい。
【００２３】
かかる構成によれば、マスクの耳幅単位力が５ｃＮ／ｍｍ以下であるため、耳掛け部の伸縮性が高いことから、装着状態において、耳掛け部による耳元への圧迫感が確実に抑制される。
【００２４】
また、前記マスクでは、前記耳掛け部は、前記マスク本体の第一方向における両側に配置され、前記マスク本体は、該マスク本体の前記第一方向における中央で互いに縫い合わされた一対の半身部を含み、前記一対の半身部は、それぞれ表側に位置する前記切りっぱなし生地である表地と、裏側に位置する前記切りっぱなし生地である裏地とを有し、前記一対の半身部のうち一方の半身部では、前記マスク本体の前記第一方向における中央部となる半身中央部位において、前記表地の端部が前記裏地側に折り返されるとともに、前記裏地の端部が前記表地側に折り返され、前記一対の半身部のうち他方の半身部では、前記マスク本体の前記第一方向における中央部となる半身中央部位が、前記一方の半身部の半身中央部位の前記表地と前記裏地との間に挿入され、前記マスク本体の前記第一方向における中央部は、前記一方の半身部の半身中央部位と、前記他方の半身部のマスク本体の前記第一方向における中央部となる半身中央部位とが重なった状態で縫合されて構成されるとともに、前記第一方向と直交する第二方向における中央部が外側に突出した湾曲形状を有してもよい。
【００２５】
かかる構成によれば、マスク本体の第一方向における中央部は、一方の半身部の表地と裏地との間に他方の半身部が介挿された状態で縫合されて構成されるとともに、湾曲形状を有するため、マスク本体の立体形状が保持される。
【００２６】
また、前記マスクでは、前記耳掛け部は、前記マスク本体の第一方向における両側に配置され、前記マスク本体の前記第一方向における中央部に設けられ、前記第一方向と直交する第二方向に沿って延びるボーンを備え、前記ボーンは、弾性復元力を有するとともに、前記第二方向における中央部が外側に突出した湾曲形状を有し、且つ、前記一方の半身部の半身中央部位における前記表地の端部の折返し部に収容されていてもよい。
【００２７】
かかる構成によれば、ボーンがマスク本体の立体形状を保持すると共に復元力を有するため、マスク本体のフィット感が向上し、半身中央部位における表地の折返し部がボーンを保持するため、ボーンが安定的に備えられ、マスク本体から飛び出しくい。また、ボーンの内側に、折り返された裏地側に位置する表地、及び、折り返されて二層となった裏地が重なって配置されているため、装着状態において、着用者の鼻に対するクッション性が良好となる。
【発明の効果】
【００２８】
以上より、本発明によれば、着用者の顔へのフィット感を高めつつ、圧迫感を抑制できるマスクを提供することができる。
【図面の簡単な説明】
【００２９】
【図１】図１は、本実施形態に係るマスクの正面図である。
【図２】図２は、前記マスクの背面図である。
【図３】図３は、前記マスクを半分に折り畳んだ状態の模式図である。
【図４Ａ】図４Ａは、図１のＩＶ−ＩＶ位置における断面構造を説明するための模式図であって、生地の折り返しを説明するための拡大断面図である。
【図４Ｂ】図４Ｂは、図１のＩＶ−ＩＶ位置における断面構造を説明するための模式図であって、前記マスクの拡大断面図である。
【図５】図５は、前記マスクの着用時の模式図である。
【発明を実施するための形態】
【００３０】
以下、本発明の実施形態について、図１〜図５を参照しつつ説明する。マスクは、着用者の顔に装着可能であり、着用時に、着用者の鼻と口とを覆うマスクである。
【００３１】
マスク１は、図１及び図２に示すように、着用者の鼻と口とを覆うマスク本体２と、マスク本体２の両端から延び且つ着用者の耳に掛けられる耳掛け部３と、を備える。本実施形態のマスク１は、マスク本体２の第一方向における中央部２０に設けられ、第一方向と直交する第二方向に沿って延びるボーン４を備える。
【００３２】
以下、マスク本体２の第一方向は、マスク１の着用者Ｐの顔の幅方向であり、図１における左右方向である。このマスク本体２の第一方向を、単に「幅方向」とも称する。また、マスク本体２の第二方向は、マスク１の着用者Ｐの頭側と足側との間を結ぶ方向であり、図１における上下方向である。このマスク本体２の第二方向を、端に「上下方向」とも称する。さらに、マスク１の内側は使用時に着用者Ｐの顔と対向する側であり、マスク１の外側は内側の反対側とする。即ち、マスク１の表裏方向は、図１における紙面に垂直な方向である。
【００３３】
マスク１において、マスク本体２及び耳掛け部３は、いずれも、端縁が切りっぱなし仕様とされた切りっぱなし生地で形成されている。本実施形態のマスク本体２は、積層された複数（例えば、四枚）の切りっぱなし生地で形成されている。
【００３４】
切りっぱなし仕様の端縁は、端始末されていない切断端である。本実施形態のマスク１において、切断端とは、生地を切断したままの端縁のことを言う。また、端始末とは、切断端を折り返して縫着したり、テープ等の別布で端部を包んで縫着したりして生地の切断端縁がほつれないようにする処理をいう。即ち、切りっぱなし仕様の端縁とは、前記のような端始末をせずに切断したままの生地の端縁をいう。なお、この切りっぱなし生地の詳細については後述する。
【００３５】
マスク本体２は、着用者Ｐの鼻と口とを含む領域を外側から覆うように構成されている（図５参照）。また、マスク本体２は、表裏方向から視たとき、上下方向における寸法が幅方向における中心部に近づくほど大きいシートである（図１参照）。また、マスク本体２は、表裏方向から視たとき、幅方向における寸法が略均一なシートである。なお、マスク本体２は、平面視において長方形状、楕円状、正方形状等の形状であってもよい。
【００３６】
例えば、図３に示すマスク本体２の上下方向における最大寸法（具体的には、マスク本体２の中央部２０の上下方向における寸法）Ｓ１は、１２５ｍｍ以上１７０ｍｍ以下である。また、マスク本体２の幅方向における寸法Ｓ２は、７０ｍｍ以上１１０ｍｍ以下である。
【００３７】
本実施形態のマスク本体２は、中央部２０が頂部となるように該頂部の周囲の周囲部よりも外側に隆起した立体形状を有する。換言すると、マスク本体２の中央部２０は、上下方向における中央領域（中央部）２００が外側に突出した湾曲形状を有する（図３参照）。
【００３８】
また、マスク本体２の中央部２０は、図４Ｂに示すように、切りっぱなし生地が三層以上、表裏方向（マスク本体２の厚み方向）に重なって形成されている。本実施形態のマスク本体２の中央部２０は、表地２１（外層生地、最も外側に位置する生地、表側に位置する切りっぱなし生地）を落ち返した部位と、裏地２２（内層生地、最も内側に位置する生地、裏側に位置する切りっぱなし生地）とを折り返した部位を含む六層の生地で構成されている。
【００３９】
本実施形態のマスク本体２は、幅方向における中央で互いに縫い合わされた一対の半身部２３、２４を含む（図１及び図２参照）。一対の半身部２３、２４は、それぞれ表地２１と裏地２２とを有する。
【００４０】
具体的に、マスク本体２の中央部２０では、表地２１の端部２１０が、裏地２２側に折り返されるとともに、裏地２２の端部２２０が表地２１側に折り返されている（図４Ｂ参照）。さらに、マスク本体２の中央部２０では、複数層の切りっぱなし生地（例えば、二枚の切りっぱなし生地１２、１３）が、折り返された表地２１と折り返された裏地２２との間に挟まれた状態で積層されている。
【００４１】
より具体的に、一対の半身部２３、２４のうち一方の半身部２３では、マスク本体２の中央部２０となる半身中央部位２３０において、表地２１の端部２１０が裏地２２側に折り返されるとともに、裏地２２の端部２２０が表地２１側に折り返されている。一対の半身部２３、２４のうち他方の半身部２４では、マスク本体２の中央部２０となる半身中央部位２４０が、一方の半身部２３の半身中央部位２３０の表地２１と裏地２２との間に挟まれた状態で積層されている。
【００４２】
さらに、マスク本体２の中央部２０は、一方の半身部２３の半身中央部位２３０と、他方の半身部２４の半身中央部位２４０とが重なった状態で縫合されて構成されるとともに、上下方向における中央領域（中央部）２００が外側に突出した湾曲形状を有する。
【００４３】
耳掛け部３は、マスク本体２が着用者Ｐの鼻や口を覆った状態で、着用者Ｐ（例えば、着用者Ｐの耳元）に掛けられるように構成されている（図５参照）。また、耳掛け部３は、マスク本体２の幅方向における両側に配置されている（図１参照）。本実施形態の耳掛け部３は、マスク本体２の幅方向における両端部からそれぞれ延びている。即ち、耳掛け部３は、耳掛け可能にマスク本体２の左右に一対形成されている。
【００４４】
本実施形態の耳掛け部３は、マスク本体２と一体である。具体的に、マスク本体２と耳掛け部３とが一体の切りっぱなし生地で構成されている。なお、一体の切りっぱなし生地とは、連続した生地（縫い目なく連続した生地）である。
【００４５】
より具体的に、耳掛け部３は、マスク本体２の幅方向における端部の上側に位置する領域である上側連結部２５と、マスク本体２の幅方向における端部の下側に位置する領域である下側連結部２６との間に延びている。より具体的に、耳掛け部３は、上側連結部２５から幅方向の外側に延びる上側耳掛け部３１と、下側連結部２６から幅方向の外側に延びる下側耳掛け部３２と、上側耳掛け部３１の幅方向における外端部と下側耳掛け部３２の幅方向における外端部とを接続して上下方向に延びる耳巻き掛け部３３と、を含む。なお、耳掛け部３の幅Ｗは、例えば、５ｍｍ以上２０ｍｍ以下である。
【００４６】
ボーン４は、マスク本体２の立体形状を保持するように構成されている。また、ボーン４は、マスク本体２の中央部２０の湾曲形状に沿うように弾性変形した状態で、マスク本体２の中央部２０内に収容されている。即ち、ボーン４は、本来直線状であるが、マスク本体２の中央部２０に配置されることにより、弾性変形して湾曲形状となっており、該湾曲形状から直線形状へと復元するような弾性復元力を有している。
【００４７】
具体的に、ボーン４は、弾性復元力を有するとともに、図３に示すように、上下方向における中央部４０が外側に突出した湾曲形状を有する。また、ボーン４は、一方の半身部２３の半身中央部位２３０における表地２１の端部２１０の折返し部に収容されている（図４Ｂ参照）。
【００４８】
また、ボーン４は、厚みよりも幅が大きい断面形状を有し、ボーン４の幅方向がマスク本体２の幅方向に沿うように配置される。本実施形態のボーン４は、マスク本体２の中央部２０を構成する複数の層（例えば、六層）の切りっぱなし生地のうち、積層方向における外側から一層目の生地と二層目の生地との間に配置されている。
【００４９】
なお、本実施形態のボーン４は、マスク本体２に固定されていない。このように、ボーン４のマスク本体２に対する位置に遊びがあるため、ボーン４はマスク本体２の伸縮を妨げにくい。
【００５０】
ボーン４の厚みは、特に限定されないが、例えば、０．４ｍｍ以上０．５ｍｍ以下が好適である。このように、ボーン４の厚みが０．４ｍｍ以上であることによりボーン４が折れ曲がりにくく、ボーン４の厚みが０．５ｍｍ以下であることにより装着状態においてボーン４がマスク本体２に沿いやすくマスク１の着用感が良好となる。また、ボーン４の幅は、特に限定されないが、例えば、１．５ｍｍ以上４．５ｍｍ以下が好適であり、２ｍｍ以上３ｍｍ以下がより好適である。なお、本実施形態のボーン４の幅は、２．５ｍｍである。
【００５１】
さらに、ボーン４の長さは、特に限定されないが、マスク本体２の中央部２０のサイズに合わせて決めればよく、中央部２０の第二方向（上下方向）の長さよりも少し短く設定されている。本実施形態のボーン５の長さは、例えば、１４５ｍｍである。
【００５２】
また、ボーン４は、弾性変形する素材で形成されれば限定されないが、安価で程度な弾性力を有する樹脂製が好ましく、例えば、ポリオレフィン系の樹脂製であることが好ましい。本実施形態のボーン５は、ポリプロピレン製である。
【００５３】
以下、マスク本体２及び耳掛け部３を構成する切りっぱなし生地の詳細について説明する。
【００５４】
切りっぱなし生地は、特に限定されないが、伸縮性を備え、生地を引っ張ったときに適度な張力を有している。また、試験方法（試験方法１）の詳細については後述するが、切りっぱなし生地は、繰り返し伸張回復荷重を加えた時の５回目の１６．７ｍｍストローク位置での回復荷重が、４ｃＮ／ｍｍ以下となる生地が好ましい。例えば、切りっぱなし生地の伸縮性は、幅方向と上下方向とで異なることが好ましい。また、切りっぱなし生地は、ニット生地が好ましく、緯編生地がより好適である。
【００５５】
（試験方法１）
本実施形態の切りっぱなし生地の幅方向の伸縮性は、切りっぱなし生地の上下方向の伸縮性より大きい。即ち、切りっぱなし生地は、幅方向と直交する上下方向よりも、幅方向において伸び縮みしやすい。このように、本実施形態のマスク１では、切りっぱなし生地の伸び易い方向と耳掛け部３を引っ掛ける方向とが一致している。また、この切りっぱなし生地は、幅方向において繰り返し伸張回復荷重を加えた時の５回目の１６．７ｍｍストローク位置での回復荷重が、４ｃＮ／ｍｍ以下であることが好ましく、３ｃＮ／ｍｍ以下がより好ましい。更には、この回復荷重は２ｃＮ／ｍｍ以下がより好ましい。
【００５６】
具体的に、切りっぱなし生地は、上下方向において繰り返し伸張回復荷重を加えた時の５回目の１６．７ｍｍストローク位置での回復荷重が、幅方向において繰り返し伸張回復荷重を加えた時の５回目の１６．７ｍｍストローク位置での回復荷重の２倍以上４倍以下となる生地がより好ましく、３倍以上４倍以下の生地がさらに好ましい。
【００５７】
本実施形態のマスク１における切りっぱなし生地では、上下方向において繰り返し伸張回復荷重を加えた時の５回目の１６．７ｍｍストローク位置での回復荷重（例えば、４．９ｃＮ／ｍｍ）が、幅方向において繰り返し伸張回復荷重を加えた時の５回目の１６．７ｍｍストローク位置での回復荷重（例えば、１．３ｃＮ／ｍｍ）の３．８倍である。なお、比較生地では、上下方向において繰り返し伸張回復荷重を加えた時の５回目の１６．７ｍｍストローク位置での回復荷重（例えば、２．３２ｃＮ／ｍｍ）が、幅方向において繰り返し伸張回復荷重を加えた時の５回目の１６．７ｍｍストローク位置での回復荷重（例えば、４．２８ｃＮ／ｍｍ）の０．５倍である。市販品である比較生地のマスク１は、本実施形態とは逆に、幅方向の回復荷重の方が上下方向の回復荷重よりも大きくなっている。
【００５８】
なお、上記生地の「回復荷重」は、具体的には、切りっぱなし生地を５０ｍｍ（チェック幅の寸法）×１００ｍｍ（チャック移動方向の寸法、ただし、生地を挟持し、固定できる程度の長さであればよく、チャック部の構成や構造に合わせて生地長さは適宜決めればよい）にカットした試験片を準備し、定速伸張形引張試験機として島津製作所製のＡＧ−１００Ａを用いて、鉛直方向に対向して離間して配置された上下のチャック部に（チャック間距離５０ｍｍ）、この試験片を固定し、チャック間に固定した状態から、引張速度６７ｍｍ／分で当該試験片を２０ｍｍ引き伸ばす処理と元の位置に戻す処理とのセットを５回繰り返し、５回目の戻るときのチャック間距離が１６．７ｍｍとなった際に測定した回復力である。以上の試験方法が、試験方法１である。
【００５９】
本実施形態のマスク１において、切りっぱなし生地は、マスク本体２が、幅方向における中央で二つ折りにされ且つ平置きされた状態において、幅方向におけるマスク本体２の折り目２７の頂部２７０から耳掛け部３の内端縁３０までの距離Ｌ１が、１４５ｍｍ以下（好ましくは、１４３ｍｍ以下）となる生地である（図３参照）。
【００６０】
なお、マスク１の距離Ｌ１は、着用者の顔のサイズによるが、平均的な成人の装着状態において、１６０ｍｍ〜２２０ｍｍ程度に伸張する。また、マスク本体２の折り目２７の上端から耳掛け部３の内端縁３０までの距離Ｌ２は、１３０ｍｍ〜１７０ｍｍであり、１３０ｍｍ〜１５０ｍｍが好ましく、１３０ｍｍ〜１４０ｍｍであることがより好ましい。マスク本体２の折り目２７の下端から耳掛け部３の内端縁３０までの距離Ｌ３は、例えば、１３０ｍｍ〜１７０ｍｍであり、１３０ｍｍ〜１５０ｍｍが好ましく、１３０ｍｍ〜１４０ｍｍであることがより好ましいｍｍである。なお、ここでいう耳掛け部３の内端縁３０は、耳掛け部３の耳巻き掛け部３３の巻き掛け方向における中央部３３０の内端縁である。
【００６１】
また、本実施形態のマスク１において、試験方法（試験方法２）の詳細については後述するが、マスク１が、第一方向（マスク本体２の幅方向）における中央で二つ折りにされたで（図３の状態）、マスク本体２の中央部２０と耳掛け部３を鉛直方向に対向して離間された上下のチャックに引っ掛け、２００ｍｍ／分の定速で、チャック間を０（マスクをセットした時の状態）〜６０ｍｍに変化させた時の伸張回復荷重を加えた時の、５回目の戻るときの５０ｍｍストローク位置での回復荷重が、１００ｃＮ／ｍｍ以下となる生地である。また、本実施形態のマスク１では、回復力が、７６ｃＮ／ｍｍである。なお、比較生地のマスク１では、耳幅単位力が、１５０ｃＮ／ｍｍである。
【００６２】
（試験方法２）
なお、上記マスクの「回復荷重」は、具体的には、二つ折りにしたマスク１を準備し、定速伸張形引張試験機として島津製作所製のＡＧ−１００Ａを用いて、このマスク１のマスク本体２の中央部２０と耳掛け部３とを引張試験機の鉛直方向に対向して配置された上下のチャック間に固定し、引張速度２００ｍｍ／分でマスク１を０〜６０ｍｍ引き伸ばす処理と元の位置に戻す処理とのセットを５回繰り返したときの回復力（戻すときの荷重）である。なお、チャック間距離は、マスク１の大きさに合わせて適宜設定すればよく、チャック間にマスクをセットする時の張力がほぼゼロの状態になるようにチャック間を設定する。例えば、今回の試験では１５０ｍｍに設定している。
【００６３】
マスク１の固定方法について具体的に説明する。上下チャック部は、鉛直方向に対向して離間し、中央部２０を引っ掛ける下側バーと耳掛け部３を引っ掛ける上側バーを備えている。鉛直方向下方にある下側バーに中央部２０の顎側から凡そ半分程度引っ掛け、耳掛け部３の２つの耳巻き掛け部３３はお互い重ならないように上側バーに引っ掛け、張力がほぼゼロの状態でマスク１を固定している。下側バー及び上側バーはバー長さ方向が同じ向きになっており、耳巻き掛け部３３はわずかに捩れた状態で固定されている。以上の試験方法が試験方法２である。
【００６４】
さらに、本実施形態のマスク１において、試験方法（試験方法３）の詳細については後述するが、切りっぱなし生地は、耳掛け部３のうち一方の耳掛け部３を一方のチャックに引っ掛け、耳掛け部３のうち他方の耳掛け部を他方のチャックに引っ掛け、所定条件にて繰り返し伸張回復荷重を加えた試験後の、耳掛け部３間の距離（耳掛け部３の外端縁の頂部間距離）が、所定条件にて繰り返し伸張回復荷重を加える前の耳掛け部間の距離の１０３％以下となるマスクであり、１０２％以下のマスクが好適である。
【００６５】
（試験方法３）
なお、試験方法３では、具体的には、ＪＩＳ-Ｌ-１９３０のＣ４Ｎ法に準拠した洗濯試験と、６０℃の雰囲気下における６０分間のＡ法（吊干し乾燥）による乾燥と、をセットで５回実施したマスク１を事前に準備する。さらに、引張試験機（グンゼ製）において、このマスク１の耳掛け部３のうち一方の耳掛け部３を一方のチャックに引っ掛け、耳掛け部３のうち他方の耳掛け部を他方のチャックに引っ掛ける。このとき、引き伸ばし前のマスク１のサイズにあわせて一対のチャックを近づけた状態で、耳掛け部３をチャックに引っ掛ける。この張力がほぼかからない状態で、マスク１をこのチャック間に固定し、１サイクル当たり「マスク１を１４０％に引き伸ばして元に戻す処理」を引張速度０．２秒／サイクルで５０００サイクル繰り返す。なお、チャック間距離は、マスク１の大きさにもよるが、例えば、２５０ｍｍに設定している。
【００６６】
この試験方法３のマスク１の固定方法について具体的に説明すると、鉛直方向に離間し、一方の耳掛け部３を引っ掛ける下側フックと、他方の耳掛け部３を引っ掛ける上側フックを備えており、各フックに各耳掛け部３を張力がかからない状態で引っ掛け、固定している。この上下の各フックの初期離間距離に対し、１４０％となる位置まで移動し（離れ）、その位置から初期離間距離に戻る動作を繰り返し、マスク１に繰り返し伸張荷重を加え、試験前と試験後のマスクの寸法変化にて生地ダレの評価をしている。以上の試験方法が試験方法３である。
【００６７】
本実施形態のマスク１は、前述の試験方法２の試験において、５回目の戻るときの５０ｍｍストローク位置での耳掛け部３における耳巻き掛け部３３の巻き掛け方向における中央部３３０の幅方向における寸法に対する単位当たりの力である耳幅単位力が、５ｃＮ／ｍｍ以下のマスクであり、４ｃＮ／ｍｍ以下のマスクが好適である。
【００６８】
なお、上記「耳幅単位力」は、具体的には、上述の試験方法２のマスクの「回復荷重」を、耳巻き掛け部３３の「単位幅寸法Ｓ３×２」で割った値である。より詳しく説明すると、試験方法２の条件で、引き伸ばす処理と元の位置に戻す処理とのセットを５回繰り返した時のきの回復力（戻す処理の時の荷重）を耳巻き掛け部３３の「単位幅寸法Ｓ３×２」で割った値である。両端の耳巻き掛け部３３をチャックにセットしているため、単位幅寸法Ｓ３の２倍で「回復荷重」を割っている。
【００６９】
また、本実施形態のマスク１では、耳幅単位力が、２．７ｃＮ／ｍｍである。なお、比較生地のマスクでは、耳幅単位力が、７．４ｃＮ／ｍｍである。
【００７０】
本実施形態の切りっぱなし生地は、限定されないが、ポリエステル及びナイロンの少なくとも一方を含む。具体的に、切りっぱなし生地は、全材料に対するポリエステル又はナイロンの割合が、３０％以上、好ましくは４０％以上、更に好ましくは５０％以上含まれる生地である。なお、切りっぱなし生地は、全材料に対するポリエステルの割合、及び、全材料に対するナイロンの割合の両方が、３０％以上、好ましくは４０％以上、更に好ましくは５０％以上の生地である。このような切りっぱなし生地を用いることにより、マスク１のダレを抑えることができる。
【００７１】
なお、マスク１のダレには、切りっぱなし生地の材料以外に、切りっぱなし生地の糸の太さ、撚り数の影響、切りっぱなし生地を処理する柔軟剤の種類、切りっぱなし生地の染色前の熱処理であるプレセット時の拡布率等が影響する。本実施形態１のマスクでは、これらを最適化した切りっぱなし生地を用いることにより、マスク１のダレを確実に抑えることができる。一般的に、生地を伸張させた時の引っ張り荷重（回復荷重）が小さい生地の方が生地ダレしやすいが、この最適化により、伸縮性を備え、引っ張り荷重（回復荷重）が小さい生地であっても、生地ダレを抑えている。
【００７２】
以下、マスク１を製造工程の要部について説明する。マスク１を製造する際には、まず、図４Ａに示すように、複数（具体的には、四枚）の切りっぱなし生地１１、１２、１３、１４を重ねる。本実施形態のマスク１を形成する際には、幅方向における寸法が広い二枚の幅狭生地１１，１２と、幅方向における寸法が狭い二枚の幅広生地１３、１４とを、各生地１１、１２、１３、１４の幅方向における各一端縁を揃えた状態で重ねる。
【００７３】
次に、重ねられた複数の切りっぱなし生地１１、１２、１３、１４を、そろえた生地の一端縁の近傍の第一位置Ｐ１で縫い合わせる。このときの縫い合わせは、特に限定されないが、例えば、環縫い（具体的には、一本針オーバー）が好ましい。なお、この縫い合わせは、二本針オーバーのような他の環縫いにより行われてもよい。このときの縫製ピッチは、１８以上が好ましい。
【００７４】
さらに、縫い合わせた切りっぱなし生地１１、１２、１３、１４のうち切りっぱなし生地１１、１４を折り返す。具体的に、切りっぱなし生地１１を第一位置Ｐ１で、幅方向に長い方の生地を表側に１８０度折り返すとともに、切りっぱなし生地１４を第一位置Ｐ１で、幅方向に長い方の生地を裏側に１８０度折り返す。この切りっぱなし生地１１の折返し部内にボーン４を配置した状態で、切りっぱなし生地１１、１４を折り返しが保持されるように、各生地の一端縁の近傍であり、且つ、第一位置Ｐ１よりも該一端縁に近い第二位置Ｐ２で切りっぱなし生地１１、１２、１３、１４を縫い合わせる。このときの縫い合わせは、例えば、環縫い（具体的には、一本針二重環）が好ましく、縫製ピッチは、１８以上が好ましい。
【００７５】
なお、このように環縫いにより縫製されることで、例えば、本縫いにより縫製する構成と比べて、縫い合わせ箇所に伸縮性があるため、マスク１の着用感に優れ、糸切れもしにくい。また、弾性変形しているボーン４の反力が縫い合わせ箇所に加わるため、ボーンがはみ出しやすくなるが、縫製ピッチを１８以上にすることで、ボーン４が縫い合わせ箇所よりはみ出すことはない。また、この縫製により得られるマスク１では、順に重ねられた切りっぱなし生地１１、１２、１３、１４のうち、切りっぱなし生地１１がマスク１の表地２１となり、切りっぱなし生地１４がマスク１の裏地２２となる。
【００７６】
このような縫製を含む工程を経て製造されるマスク１において、ボーン４は、マスク本体２の中央部２０における表地２１の端部２１０の折返し部に収容される（図４Ｂ参照）。また、マスク本体２の中央部２０は、ボーン４の外側には少なくとも一層（例えば、一層）の切りっぱなし生地が配置され、ボーン４の内側には少なくとも二層の切りっぱなし生地（例えば、五層）が配置されるように構成される。
【００７７】
以上のマスク１によれば、マスク本体２及び耳掛け部３は、繰り返し伸張回復荷重を加えた時の５回目の１６．７ｍｍストローク位置での回復荷重（試験方法１による回復荷重）が、４ｃＮ／ｍｍ以下となる伸縮性を有する切りっぱなし生地で形成されているため、装着状態において、マスク本体２が着用者Ｐの顔の形状に沿いやすくフィット感が向上し、マスク本体２及び耳掛け部３の端縁が顔や耳元を締め付けないため、マスク本体２による顔への圧迫感、及び、耳掛け部３による耳元への圧迫感が抑制される。また、長時間着用しても顔に跡がつかない。
【００７８】
本実施形態のマスク１ではマスク１を装着する際に、マスク１を伸縮させる主たる方向である第一方向（マスク本体２の幅方向）において、切りっぱなし生地がよく伸び縮みするとともに、切りっぱなし生地は、幅方向において繰り返し伸張回復荷重を加えた時の５回目の１６．７ｍｍストローク位置での回復荷重（試験方法１での回復荷重）が、４ｃＮ／ｍｍ以下となる生地であるため、マスク本体２による顔への圧迫感、及び、耳掛け部３による耳元への圧迫感が確実に抑制される。また、長時間着用しても顔に跡がつかない。
【００７９】
また、本実施形態のマスク１では、弾性復元力を有するとともに、上下方向に延び且つ上下方向における中央領域２００が外側に突出した湾曲形状を有するボーン４が、マスク本体２の立体形状を保持しようとため、マスク１の付け心地が向上する。具体的には、マスク本体２に弾性変形するボーン４が配置されることにより、装着時において、マスク１内の鼻や口周辺の空間を保持することができるため、着用者Ｐが呼吸し易い。また、直線状のボーン４を湾曲形状に弾性変形させた状態でマスク１を装着することで、ボーン４の弾性復元力（より具体的には、湾曲形状のボーン４が直線状のボーン４に戻ろうとする力）が、伸縮性を有する切りっぱなし生地を伸張させるため、切りっぱなし生地が顔にへばりつくことを抑えることができる。伸縮性を備え、伸張荷重（ここでいう回復荷重）が小さい生地をマスクに生地に用いると、生地が顔にへばり付きやすく、呼吸がし難くなるが、弾性復元力を有するボーン４を有することで、顔への生地のへばり付きを抑え、、着用者Ｐがより呼吸し易い。
【００８０】
さらに、本実施形態のマスク１では、マスク本体２の中央部２０において、厚み方向における内側と外側に配置された切りっぱなし生地がボーン４を保持し、中央部２０において、ボーン４より内側に位置する複数の切りっぱなし生地（例えば、図４Ｂにおける５層の切りっぱなし生地）が、ボーン４と着用者Ｐの顔面との間のクッションとなるため、マスク１の着用感が向上する。
【００８１】
本実施形態のマスク１では、ボーン４は、厚みよりも幅が大きい断面形状を有し、ボーン４の幅方向がマスク本体２の幅方向に沿うように配置される、即ち、ボーン４の厚みが薄いため、装着状態において、ボーン４が着用者Ｐの顔の形状に沿った湾曲形状となりやすく、着用者Ｐの顔面への着圧が軽減される。
【００８２】
また、本実施形態のマスク１は、図３に示すように、マスク本体２の折り目２７の頂部２７０から耳掛け部３の内端縁３０までの距離Ｌ１が、１４５ｍｍ以下（通常の大人用マスクよりも小さいサイズ）として形成され、より大きなサイズに伸ばされた状態で使用されるため、顔へのフィット感が向上する。
【００８３】
さらに、本実施形態のマスク１では、マスク１が、第一方向（マスク本体２の幅方向）における中央で二つ折りにされた状態で（図３の状態）、マスク本体２の中央部２０と耳掛け部３とをチャックに引っ掛け、所定条件にて繰り返し伸張回復荷重を加えた時の、５回目の戻るときの５０ｍｍストローク位置での回復荷重が、１００ｃＮ以下となるマスクであり、マスク本体２の伸縮性があり、伸張荷重（回復荷重）が小さいため、装着状態において、マスク本体２が着用者Ｐの顔の形状に沿いやすくフィット感を確保できる。
【００８４】
本実施形態のマスク１では、試験方法３にて、各耳掛け部３をそれぞれ異なるチャックに引っ掛け、所定条件にて繰り返し伸張回復荷重を加えた時の、耳掛け部間の距離が繰り返し伸張回復荷重を加える前の耳掛け部３間の距離の１０３％以下となるマスクであり、マスク１の着用や洗濯によりマスク１の伸張を繰り返しても、マスク１を構成する切りっぱなし生地がダレにくく、着用者Ｐの顔にフィットしやすく、着用者Ｐが呼吸しやすい。このように、マスク１を繰り返し着用可能である。
【００８５】
また、本実施形態のマスク１では、耳幅単位力が５ｃＮ／ｍｍ以下であるため、耳掛け部３の伸張荷重（回復荷重）が小さいことから、装着状態において、耳掛け部３による耳元への圧迫感が確実に抑制される。
【００８６】
さらに、本実施形態のマスク１では、マスク本体２の中央部２０は、一方の半身部２３の表地２１と裏地２２との間に他方の半身部２４が介挿された状態で縫合されて構成されるとともに、湾曲形状を有するため、マスク本体２の立体形状が保持される。
【００８７】
本実施形態のマスク１では、ボーン４がマスク本体２の立体形状を保持するため、マスク本体２のフィット感が向上し、一方の半身部２３の半身中央部位２３０における表地２１の折返し部がボーン４を保持し、ボーン４の内側に、折り返された裏地側に位置する表地２１、及び、折り返されて二層となった裏地２２が重なって配置されているため、装着状態において、着用者Ｐの鼻に対するクッション性が良好となる。
【００８８】
なお、本発明のマスクは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８９】
例えば、上記実施形態のマスク１は、ボーン４を備えていたが、ボーン４を備えていなくてもよい。マスク１がボーン４を備えていなくても、マスク本体２の中央部２０が、一方の半身部２３の表地２１と裏地２２との間に他方の半身部２４が介挿された状態で縫合されて構成されるとともに、湾曲形状を有していれば、マスク本体２の立体形状が保持される。また、上記実施形態のマスク１では、ボーン４は、マスク本体に固定されていなかったが、例えば、マスク本体２に接着剤等により固定されてもよい。
【００９０】
さらに、上記実施形態のマスク１では、マスク本体２の中央部２０が六層の切りっぱなし生地で構成されていたが、一層の切りっぱなし生地で構成されていてもよいし、二層〜五層の切りっぱなし生地で構成されていてもよいし、七層以上の切りっぱなし生地で構成されていてもよい。
【００９１】
上記実施形態のマスク１では、マスク本体２と耳掛け部３とは、一体の生地で形成されていたが、別体の生地で形成されてもよい。別体の生地は、例えば、複数の生地を縫い合わせて形成された生地や、複数の生地を貼り合わせて形成された生地といった、連結部分（縫い目や貼り合わせ箇所）を介して連結された生地である。
【００９２】
上記実施形態のマスク１は、複数の切りっぱなし生地を含んでいたが、一枚の切りっぱなし生地で構成されてもよい。
【００９３】
また、上記実施形態のマスク本体２及び耳掛け部３を構成する切りっぱなし生地は、上下方向より幅方向の方が伸び縮みし易い生地であったが、これに限らず、上下方向と横方向とでと同程度に伸び縮みする生地であってもよい。
【符号の説明】
【００９４】
１…マスク、２…マスク本体、３…耳掛け部、４…ボーン、１１、１２、１３、１４…切りっぱなし生地、２０…中央部、２１…表地、２２…裏地、２３、２４…半身部、２５…上側連結部、２６…下側連結部、２７…折り目、３０…内端縁、３１…上側耳掛け部、３２…下側耳掛け部、３３…耳巻き掛け部、４０…中央領域（中央部）、２００…中央領域（中央部）、２１０、２２０…端部、２３０、２４０…半身中央部位、２７０…頂部、３３０…中央部、Ｓ１、Ｓ２、Ｓ３…寸法、Ｌ１、Ｌ２、Ｌ３…距離、Ｗ…幅、Ｐ…着用者、Ｐ１…第一位置、Ｐ２…第二位置
【要約】
【課題】着用者の顔へのフィット感を高めつつ、圧迫感を抑制できるマスクを提供する。
【解決手段】本発明のマスクは、着用者の鼻と口とを覆うマスク本体と、前記マスク本体の両端から延び且つ着用者の耳に掛けられる耳掛け部と、を備え、前記マスク本体及び前記耳掛け部は、いずれも、端縁が切りっぱなし仕様とされた切りっぱなし生地で形成され、前記切りっぱなし生地は、所定条件にて繰り返し伸張回復荷重を加えた時の５回目の１６．７ｍｍストローク位置での回復荷重が、４ｃＮ／ｍｍ以下となる生地である。
【選択図】図１【図１】
0006886066.tif 000002
【図２】
0006886066.tif 000003
【図３】
0006886066.tif 000004
【図４Ａ】
0006886066.tif 000005
【図４Ｂ】
0006886066.tif 000006
【図５】
0006886066.tif 000007